(57)【要約】      （修正有）【課題】光ファイバ心線の束をバンドル材で束ねた光ファイバユニットを複数有する多心の光ファイバケーブルにおいて個々の光ファイバ心線を低コストで識別可能とする光ファイバケーブルを提供する。【解決手段】複数の光ファイバ心線１１１と、複数の光ファイバ心線１１１の束の外周部に巻きつけられた１または２以上のバンドル材１２Ａ、１２Ｂとを有する光ファイバユニットを、複数備える光ファイバケーブルであって、光ファイバユニットに巻きつけられたバンドル材１２Ａ、１２Ｂのうち少なくとも１つのバンドル材には、複数種類からなる識別マークが付されている。【選択図】図２
2015215447.tif 000002
【特許請求の範囲】
【請求項１】
複数の光ファイバ心線と、前記複数の光ファイバ心線の束の外周部に巻きつけられた１または２以上のバンドル材とを有する光ファイバユニットを、複数備える光ファイバケーブルであって、
前記光ファイバユニットに巻きつけられた前記バンドル材のうち少なくとも１つのバンドル材には、複数種類からなる識別マークが付されている、
ことを特徴とする光ファイバケーブル。
【請求項２】
請求項１に記載の光ファイバケーブルであって、
前記バンドル材はそれぞれ所定の色で着色されていて、それぞれの色について複数種類からなる識別マークが付されている、
ことを特徴とする光ファイバケーブル。
【請求項３】
請求項１または２に記載の光ファイバケーブルであって、
前記バンドル材に施される前記複数種類の識別マークは、形状、及び、数のうち少なくとも一方が異なる、ことを特徴とする光ファイバケーブル。
【請求項４】
複数の光ファイバ心線と、前記複数の光ファイバ心線の束の外周部に巻きつけられた１または２以上のバンドル材とを有する光ファイバユニットを、複数備える光ファイバケーブルであって、
前記光ファイバユニットに巻きつけられた前記バンドル材のうち少なくとも１つのバンドル材は、２色以上の異なる色で着色されている、ことを特徴とする光ファイバケーブル。
【請求項５】
請求項４に記載の光ファイバケーブルであって、
２色以上の異なる色で着色されている前記バンドル材には、それぞれの色の組み合わせ毎に複数種類からなる識別マークが付されている、ことを特徴とする光ファイバケーブル。
【請求項６】
請求項１〜５のいずれかに記載の光ファイバケーブルであって、
前記光ファイバユニットには、
並列に並ぶ複数の前記光ファイバ心線からなる光ファイバテープ心線であって、隣接する２つの光ファイバ心線を連結する連結部が、前記光ファイバテープ心線の長手方向及び幅方向に間欠的に配置された光ファイバテープ心線、が含まれる、ことを特徴とする光ファイバケーブル。
【発明の詳細な説明】
【技術分野】
【０００１】
本発明は、光ファイバケーブルに関する。
【背景技術】
【０００２】
複数本の光ファイバ心線を束ねた光ファイバの集合体を光ファイバユニットとして、光ファイバケーブルを構成する技術が知られている。その際、光ファイバ心線の束に粗巻き糸（バンドル材）を巻きつけることにより、光ファイバ心線の束がばらばらになることを抑制しつつ、バンドル材の色によって光ファイバユニットを識別する方法が一般的である。
【０００３】
このようなバンドル材に関連して、特許文献１には、結束部材として吸水ヤーンを用いることにより、光ファイバユニットに防水特性を持たせる方法が開示されている。また、特許文献２には、バンドル材に対して単色で着色を施すことにより、光ファイバユニットを識別しやすくする方法が開示されている。
【先行技術文献】
【特許文献】
【０００４】
【特許文献１】特開２０１１−２３２３４７号公報
【特許文献２】特開２０１３−０９７３５０号公報
【発明の概要】
【発明が解決しようとする課題】
【０００５】
近年、送信データの大容量化に伴う多心化の要望により、光ファイバユニットに含まれる光ファイバ心線の心数が多くなっている。特に、１０００心を超えるような超多心ケーブルの場合、個々の光ファイバ心線をバンドル材によって識別するためには、より多くの種類のバンドル材が必要となる。例えば、特許文献２のバンドル材を単色着色する方法の場合、より多くの色のバンドル材が必要となるが、バンドル材の色数を増加させるとその分コストが高くなる。
【０００６】
本発明は、光ファイバ心線の束をバンドル材で束ねた光ファイバユニットを複数有する多心の光ファイバケーブルにおいて、個々の光ファイバ心線を低コストで識別可能にすることを目的とする。
【課題を解決するための手段】
【０００７】
上記目的を達成するための主たる発明は、複数の光ファイバ心線と、前記複数の光ファイバ心線の束の外周部に巻きつけられた１または２以上のバンドル材とを有する光ファイバユニットを、複数備える光ファイバケーブルであって、前記光ファイバユニットに巻きつけられた前記バンドル材のうち少なくとも１つのバンドル材には、複数種類からなる識別マークが付されている、ことを特徴とする光ファイバケーブルである。
本発明の他の特徴については、後述する明細書及び図面の記載により明らかにする。
【発明の効果】
【０００８】
本発明によれば、光ファイバ心線の束をバンドル材で束ねた光ファイバユニットを複数有する多心の光ファイバケーブルにおいて、個々の光ファイバ心線を低コストで識別可能にすることができる。
【図面の簡単な説明】
【０００９】
【図１】第１実施形態における光ファイバケーブル１の断面図である。
【図２】第１実施形態の光ファイバユニット１０の概略図である。
【図３】間欠固定テープ心線１１の概略図である。
【図４】バンドル材１２の断面構造について説明する図である。
【図５】バンドル材１２に付される識別マークについて説明する図である。
【図６】従来の方法で光ファイバケーブルに含まれる多数の光ファイバ心線の中から所望の光ファイバ心線を識別する方法について説明する図である。
【図７】第１実施形態において、光ファイバケーブルに含まれる多数の光ファイバ心線の中から所望の光ファイバ心線を識別する方法について説明する図である。
【図８】種々の条件で光ファイバ心線の識別性について評価を行なった結果を示す図である。
【図９】バンドル材の巻き方を変形した例について説明する概略図である。
【図１０】第２実施形態でバンドル材に付される色について説明する図である。
【図１１】第３実施形態でバンドル材に付される色及び識別マークについて説明する図である。
【図１２】スロットタイプの光ファイバケーブル２の断面図である。
【発明を実施するための形態】
【００１０】
後述する明細書及び図面の記載から、少なくとも以下の事項が明らかとなる。
複数の光ファイバ心線と、前記複数の光ファイバ心線の束の外周部に巻きつけられた１または２以上のバンドル材とを有する光ファイバユニットを、複数備える光ファイバケーブルであって、前記光ファイバユニットに巻きつけられた前記バンドル材のうち少なくとも１つのバンドル材には、複数種類からなる識別マークが付されている、ことを特徴とする光ファイバケーブルが明らかとなる。
【００１１】
このような光ファイバケーブルによれば、光ファイバ心線の束をバンドル材で束ねた光ファイバユニットを複数有する場合であっても、個々の光ファイバ心線を低コストで識別することができる。
【００１２】
かかる光ファイバケーブルであって、前記バンドル材はそれぞれ所定の色で着色されていて、それぞれの色について複数種類からなる識別マークが付されている、ことが望ましい。
【００１３】
このような光ファイバケーブルによれば、バンドル材の色と識別マークとの組み合わせにより、より多くの種類の光ファイバ心線が識別可能となる。
【００１４】
かかる光ファイバケーブルであって、前記バンドル材に施される前記複数種類の識別マークは、形状、及び、数のうち少なくとも一方が異なる、ことが望ましい。
【００１５】
このような光ファイバケーブルによれば、バンドル材に付される識別マークの種類を多様に設定することができるので、多心の光ファイバ心線を有する光ファイバケーブルでも個々の光ファイバ心線を識別することができる。
【００１６】
また、複数の光ファイバ心線と、前記複数の光ファイバ心線の束の外周部に巻きつけられた１または２以上のバンドル材とを有する光ファイバユニットを、複数備える光ファイバケーブルであって、前記光ファイバユニットに巻きつけられた前記バンドル材のうち少なくとも１つのバンドル材は、２色以上の異なる色で着色されている、ことを特徴とする光ファイバケーブルが明らかとなる。
【００１７】
このような光ファイバケーブルによれば、多心の光ファイバ心線を有する場合であっても、個々の光ファイバ心線を低コストで識別することができる。
【００１８】
かかる光ファイバケーブルであって、２色以上の異なる色で着色されている前記バンドル材には、それぞれの色の組み合わせ毎に複数種類からなる識別マークが付されている、ことが望ましい。
【００１９】
このような光ファイバケーブルによれば、バンドル材の色の組み合わせと識別マークとにより、さらに多くの種類の光ファイバ心線を識別可能となる。
【００２０】
かかる光ファイバケーブルであって、前記光ファイバユニットには、並列に並ぶ複数の前記光ファイバ心線からなる光ファイバテープ心線であって、隣接する２つの光ファイバ心線を連結する連結部が、前記光ファイバテープ心線の長手方向及び幅方向に間欠的に配置された光ファイバテープ心線、が含まれる、ことが望ましい。
【００２１】
このような光ファイバケーブルによれば、複数の光ファイバ心線をまとめてテープ状にすることにより、光ファイバ心線が取り扱いやすくなり、また、管理しやすくなる。そして、光ファイバ心線がテープ状となっていることにより、単心の場合と比べて光ファイバの色数を減らすことができる。例えば、４心の光ファイバテープ心線では２心目と３心目の光ファイバ心線の色を同一とし、１心目と４心目の光ファイバ心線の色を変更するだけで、その色の配列の組み合わせによって複数種類のテープ心線が識別可能となり、また、そのようにしても問題は生じない。
【００２２】
＝＝＝第１実施形態＝＝＝
＜光ファイバユニットの構成＞
第１実施形態では、複数の光ファイバ心線によって構成される光ファイバユニット、及び、当該光ファイバユニットを有する光ファイバケーブルについて説明する。図１は、第１実施形態における光ファイバケーブル１の断面図である。
【００２３】
光ファイバケーブル１は、光ファイバユニット１０（１０Ａ〜１０Ｃ）と、シース３０と、テンションメンバ４０とを備える。光ファイバユニット１０は、複数の光ファイバ心線１１１をバンドル材１２で束ねて結束することにより、各光ファイバ心線１１１がばらけないようにした構造となっている。図１では、光ファイバユニット１０Ａ、１０Ｂ、１０Ｃの３つの光ファイバユニット１０によって光ファイバケーブル１が構成されているが、光ファイバケーブル１に含まれる光ファイバユニット１０の数量は、ケーブルの用途等に応じて適宜変更される。光ファイバユニット１０Ａ〜１０Ｃの周囲は不織布等によって形成される押さえ巻き１５によって覆われ、その外周部は光ファイバケーブル１の外被であるシース３０によって被覆されている。また、シース３０内にはテンションメンバ４０が設けられる。
【００２４】
（光ファイバユニット１０）
図２は、光ファイバユニット１０の概略図である。図３は、間欠固定テープ心線１１の概略図である。
【００２５】
本実施形態の光ファイバユニット１０は、複数の光ファイバ心線１１１によって構成される間欠固定テープ心線１１を束状に密集させ、その周囲にバンドル材１２を巻きつけることによって結束させたものである。
【００２６】
間欠固定テープ心線１１は、複数の光ファイバ心線１１１を並列に並べ、隣接する２つの光ファイバ心線１１１を連結部１１５で連結してまとめることにより、光ファイバ心線１１１をテープ状とした、所謂光ファイバテープ心線である。図３では４心の光ファイバ心線１１１によって間欠固定テープ心線１１が形成されているが、間欠固定テープ心線１１を形成する光ファイバ心線１１１の心数はこの限りではない。光ファイバ心線１１１は、光を伝える伝送路であるベアファイバの外周に２層の被覆層（ソフト／ハード）を被覆したものである。ベアファイバは、例えば、直径１２５μｍのガラス材等によって形成される。被覆層は、例えば、紫外線硬化樹脂や熱硬化樹脂によって形成される。そして、被覆層の上には着色層が形成されており、当該着色層の色によって複数の光ファイバ心線１１１を色毎に識別することが可能になる。本実施形態で、着色層を含めた光ファイバ心線１１１の直径は、およそ２５０μｍである。なお、着色層を形成せずに被覆層のハード層自体に色味を付けても良い。
【００２７】
連結部１１５は、幅方向に隣接する２つの光ファイバ心線１１１を連結する部材である。図３に示されるように、間欠固定テープ心線１１では複数の連結部１１５が光ファイバ心線１１１の長手方向及び幅方向に間欠的に配置されている。また、隣接する２つの光ファイバ心線１１１の間には幅方向に所定の離間距離が設けられている。間欠固定テープ心線１１は、連結部１１５の部分で幅方向に折り曲げ可能であり、図２に示されるような束状にすることができる。
【００２８】
なお、光ファイバ心線１１１をテープ状にするのではなく、複数の光ファイバ心線１１１を単心で束状にまとめてバンドル材１２によって結束させたものも本実施形態の光ファイバユニット１０に含まれるものとする。
【００２９】
バンドル材１２は、間欠固定テープ心線１１（複数の光ファイバ心線１１１）を束ねるための部材であり、１つの光ファイバユニット１０に対して複数のバンドル材１２が設けられる。本実施形態の光ファイバユニット１０では、図２に示されるように、バンドル材１２Ａ、及び、バンドル材１２Ｂの２本のバンドル材が設けられている。バンドル材１２Ａ、及び、バンドル材１２Ｂは、間欠固定テープ心線１１（複数の光ファイバ心線１１１）の束に対して巻きつき方向が互いに逆向きになるように螺旋状に巻き付けられている。そして、バンドル材１２Ａ、及び、バンドル材１２Ｂが交差する箇所（接触点）において熱融着することにより互いに接合されていることが望ましい。ただし、バンドル材１２Ａ、及び、バンドル材１２Ｂが交差する箇所において互いに接合されず、それぞれが間欠固定テープ心線１１の束に巻きつけられているだけであってもよい。
【００３０】
本実施形態の光ファイバユニット１０は、バンドル材１２Ａ、及び、バンドル材１２Ｂをそれぞれ螺旋状に巻きつけるだけであるため、製造が容易である。また、２つのバンドル材が交差する箇所において両者を接合しておけば、バンドル材をほどけにくくすることができる。仮に、２つのバンドル材の接合箇所が剥がれたとしても、バンドル材１２Ａ、及び、バンドル材１２Ｂがそれぞれ螺旋状に巻きついていることから、間欠固定テープ心線１１の束の外周部から該バンドル材が直ちに離脱する可能性は低く、間欠固定テープ心線１１の束がばらけにくいという特徴を有する。
【００３１】
図４は、バンドル材１２の断面構造について説明する図である。バンドル材１２は、光ファイバユニット１０の長手方向に伸びる１本もしくは複数本のコア部１２１と、コア部１２１の外周を被覆し、コア部１２１の融点より低い融点を有する被覆部１２２とを有する。また、被覆部１２２の表面には識別マーク１２３が付される。バンドル材１２は扁平な帯状の部材であり（図４では断面が楕円形状）、各バンドル材の幅（図４においては楕円の長軸長さ）は３ｍｍ程度である。
【００３２】
そして、バンドル材１２Ａ及び１２Ｂは、被覆部１２２が融点以上に加熱されることにより発現する接着性により、両者の接触点において熱融着することができる。コア部１２１の融点と被覆部１２２の融点の差は２０℃以上あることが好ましい。コア部１２１の融点は１６０℃程度が好ましく、被覆部１２２の融点は９０℃〜１３０℃程度が好ましい。また、被覆部１２２には、加熱して溶けても光ファイバ心線１１１と接着しないか或いは接着してもその接着力が低く、しかも光ファイバ心線１１１の被覆層を劣化させないことが要求される。
【００３３】
コア部１２１及び被覆部１２２のそれぞれには、例えばポリプロピレン（ＰＰ）、ポリアミド（ＰＡ）、ポリエチレンテレフタレート（ＰＥＴ）等の高融点樹脂、またはポリプロピレン繊維、ポリアミド繊維（登録商標であるナイロン等）、ポリエステル繊維（ＰＥＴ繊維等）等の高融点繊維、またはＰＥＴ、ＰＰ等の高融点テープ或いはフィルムに対して加熱・冷却により軟化・固化を可逆的に繰り返すことが可能な熱可塑性樹脂、例えばポリエチレン（ＰＥ）、エチレン酢酸ビニルコポリマー（ＥＶＡ）、エチレンエチルアクリレートコポリマー（ＥＥＡ）のような低融点のもの、または熱可塑性樹脂やゴムをベースとし、加熱・冷却により軟化・固化を可逆的に繰り返すことが可能な、いわゆる加熱融解型（ホットメルト）の接着剤で覆ったもの等が使用できる。
【００３４】
なお、バンドル材１２Ａ及び１２Ｂは、図４で示されるような高融点材料（コア部１２１）と低融点材料（被覆部１２２）との複合材ではなく、単一材料によって構成されるのであってもよい。例えば、高融点材料もしくは低融点材料のいずれかによって構成されていてもよいし、バンドル材１２Ａと１２Ｂとで材質が異なるのであってもよい。
【００３５】
また、バンドル材１２Ａとバンドル材１２Ｂとの接合は、熱融着によるのではなく、接着剤を用いて行なわれてもよい。バンドル材同士の接着を行う際に用いられる接着剤としては、例えば、紫外線硬化樹脂や溶剤を用いた変性オレフィン系等の接着剤、エポキシ系接着剤等の反応型接着剤を使用することができる。
【００３６】
また、バンドル材１２Ａ及び１２Ｂの接合箇所の強度は、当該接合箇所が不意に解けず、外したいときには人の手で容易に外せる程度であることが好ましい。こうすることで、中間分岐作業において、バンドル材１２Ａ及び１２Ｂを切断することなく接着部を手で外して取り出し部位を広げることが可能となる。さらに、接合強度が各バンドル材の破断強度以下であって、望ましくは降伏点強度以下であれば、バンドル材１２が伸び切れることなく引き剥がすことが可能となる。
【００３７】
なお、２本のバンドル材１２Ａ及び１２Ｂは、中間分岐作業で光ファイバ心線１１１を取り出した後に、ヒーターで熱を加えたり、接着剤を塗布したりすることによって再度接合することが可能である。
【００３８】
２本のバンドル材１２Ａ及び１２Ｂには、複数の光ファイバユニット１０をそれぞれ識別可能にするために識別マーク１２３が付されている。例えば、図１において光ファイバケーブル１の内部には、光ファイバユニット１０Ａ〜１０Ｃの３つの光ファイバユニットが収納されている。この場合、光ファイバユニット１０Ａ〜１０Ｃに巻きつけられバンドル材１２に施された所定の識別マーク１２３によって、光ファイバユニット１０Ａ〜１０Ｃを容易に識別することができるようになる。識別マーク１２３は被覆部１２２の表面にグラビア印刷によって付される（図４及び図５参照）。その際、扁平なバンドル材１２の少なくとも片面側に識別マーク１２３が付される。図４では、バンドル材１２の上面側に識別マーク１２３（黒塗り部）が付されている。識別マーク１２３による光ファイバユニットの識別方法の具体的詳細については後で説明する。
【００３９】
なお、本実施形態において、識別マーク１２３は単色（例えば黒色）で付されている。また、識別マーク１２３は、光ファイバユニット１０に巻きつけられる複数のバンドル材のうち、少なくとも１本のバンドル材に付されていればよい、例えば図２の場合、バンドル材１２Ａ及び１２Ｂの両方に識別マーク１２３が付されるのではなく、バンドル材１２Ａ及び１２Ｂのうちの片方だけに識別マーク１２３が付されるのであってもよい。
【００４０】
（シース３０）
シース３０は、押さえ巻き１５によって包まれた状態の光ファイバユニット１０の外周部を被覆し、内部の光ファイバユニット１０を保護する（図１参照）。シース３０は例えばポリエチレン樹脂等の樹脂によって形成される。
【００４１】
（テンションメンバ４０）
テンションメンバ４０は、光ファイバケーブル１に負荷される張力が光ファイバ心線１１１に直接伝わらないようにするための抗張力体である（図１参照）。テンションメンバ４０は、例えば、鋼線によって構成される。
【００４２】
＜バンドル材による識別について＞
上述したように、本実施形態では、バンドル材１２に対して所定の識別マークを付すことによって、光ファイバ心線１１１の識別を可能にしている。
【００４３】
図５は、バンドル材１２に付される識別マークについて説明する図である。図に示されるように、バンドル材１２に対して帯状の識別マーク１２３が付される。それぞれのバンドル材１２に付される識別マーク１２３は、形状、及び、数のうち少なくとも一方が異なる。図５ではそれらの組み合わせが異なる＃１０１〜＃１１２のマーキング例について表している。＃１０１では幅ａ１の識別マーク１２３が長手方向ピッチＰの間隔で１つずつ付されている。また、＃１０２では幅ａ１の識別マーク１２３が長手方向ピッチＰの間隔で２つずつ付されている。その際、長手方向に隣り合う２つの識別マーク１２３の間の距離はｂで表される。同様に＃１０３では幅ａ１の識別マーク１２３が長手方向ピッチＰの間隔で３つずつ、＃１０４では幅ａ１の識別マーク１２３が長手方向ピッチＰの間隔で４つずつ付されている。同様に、＃１０５では幅ａ２の識別マーク１２３が長手方向ピッチＰの間隔で１つずつ付されている。この他に、幅ａ１の識別マーク１２３と幅ａ２の識別マーク１２３を組み合わせてもよい。例えば、＃１１２では幅ａ２の識別マーク１２３と幅ａ１の識別マーク１２３とが、長手方向ピッチＰの間隔でそれぞれ２つずつ付されている。このように、本実施形態では、識別マーク１２３の形状（長さ）、及び数の組み合わせによってバンドル材１２を１２通りに識別することができる。
【００４４】
なお、実際に適用される識別マークとして、例えば、ａ１＝５ｍｍ、ａ２＝２５ｍｍ、ｂ＝５ｍｍ、Ｐ＝３００ｍｍとすることができる。識別マーク１２３の長手方向ピッチＰの長さについては、上述した中間分岐作業等の作業性等を考慮して決定される。そのような中間分岐作業を行なう場合、最長で長手方向に１ｍの区間のシース３０が剥がされる。したがって、１ｍの区間内で少なくとも１箇所以上の識別マーク１２３が見えるように長手方向ピッチＰが設定されることが望ましい。逆に、シース３０を剥がす区間が狭い場合にも、当該区間において少なくとも１箇所以上の識別マーク１２３が見えるように長手方向ピッチＰが設定されることが望ましい。
【００４５】
このように、バンドル材１２に複数種類からなる識別マーク１２３を付すことにより、当該バンドル材１２によって結束されている光ファイバユニット１０をより識別しやすくなる。この方法は、１つの光ファイバケーブル内により多くの光ファイバユニットが収容される場合に特に有効である。識別マークが付されたバンドル材１２を用いた場合の光ファイバ識別性について、従来の識別方法と比較して説明する。
【００４６】
図６は、従来の方法で、光ファイバケーブルに含まれる多数の光ファイバ心線の中から所望の光ファイバ心線を識別する方法について説明する図である。
【００４７】
従来の光ファイバユニットでは、間欠固定テープ心線を構成する複数の光ファイバ心線の着色配列の組み合わせの種類と、バンドル材の色数とによって、個々の光ファイバ心線を識別していた。例えば４心の間欠固定テープ心線の場合、間欠固定テープ心線内の各光ファイバ心線（４色）の着色配列の組み合わせにより１０種類のテープを構成し、識別マークが付されていない１０色のバンドル材によって結束される。なお、４心の間欠固定テープ心線における着色配列の組み合わせの一例としては、該テープ心線で幅方向１番目の光ファイバ心線の色を５種類（青、黄、緑、赤、紫）、４番目の光ファイバ心線の色を２種類（灰、桃）、２番目の光ファイバ心線の色を白、３番目の光ファイバ心線の色を茶、とすることで１０種類を構成することができる。この１０種類の組み合わせは、誤識別を生じないようにするための最大数である。これ以上着色配列の組み合わせを増やすと、近い色が増えることによって識別精度が悪くなるおそれがある。また、バンドル材の色数についても、誤認識を生じないようにするための最大色数は１０色程度である。
【００４８】
この方法によれば、光ファイバ心線の色、間欠固定テープの着色配列の組み合わせ、及び、バンドル材の色の組み合わせによって、複数の光ファイバ心線の中から所定の光ファイバ心線の単心を識別することができる（図６参照）。例えば、心線番号１（テープ番号１）の光ファイバ心線は、（青、白、茶、灰）という着色配列の間欠固定テープ心線のうち光ファイバ心線の色が青、バンドル材の色が青という組み合わせで特定することができる。また、心線番号４００（テープ番号１００）の光ファイバ心線は、（紫、白、茶、桃）という着色配列の間欠固定テープ心線のうち光ファイバ心線の色が桃、バンドル材の色が桃という組み合わせで特定することができる。このように、従来の方法では、間欠固定テープ心線内の各光ファイバ心線の色（４色）と着色配列の組み合わせ（１０種類）、及び、バンドル材１２の色（１０色）の組み合わせにより、４００種類の光ファイバ心線を識別することが可能である。しかし、４００種類では、１０００心以上の光ファイバ心線を有する光ファイバケーブルにおいて個々の光ファイバ心線を識別することができない。
【００４９】
仮に、間欠固定テープ心線の心数を８心に増やしたとしても、識別可能な最大数は８００種類であり、やはり１０００心以上の光ファイバ心線を有する光ファイバケーブルに対応することはできない。また、間欠固定テープ心線に使われる色数が増えることにより、誤識別を生じる可能性も高くなる。
【００５０】
これに対して、本実施形態の光ファイバユニット１０は、１０種類の着色配列の組み合わせからなる間欠固定テープ心線の束を、１２種類の識別マークが付された１０色のバンドル材１２で結束している。
【００５１】
図７は、第１実施形態において、光ファイバケーブルに含まれる多数の光ファイバ心線の中から所望の光ファイバ心線を識別する方法について説明する図である。図７の場合、例えば、心線番号１（テープ番号１）の光ファイバ心線は、（青、白、茶、灰）という着色配列の間欠固定テープ心線のうち光ファイバ心線の色が青、バンドル材の色が青、バンドル材に付された識別マークの種類が＃１０１という組み合わせで特定することができる。また、心線番号４０１（テープ番号１０１）の光ファイバ心線は、（青、白、茶、灰）という着色配列の間欠固定テープ心線のうち光ファイバ心線の色が青、バンドル材の色が青、そして、バンドル材に付された識別マークの種類が＃１０２という組み合わせで特定することができる。つまり、本実施形態では、間欠固定テープ心線内の各光ファイバ心線の色（４色）と着色配列の組み合わせ（１０種類）、バンドル材１２の色（１０色）、及びバンドル材に付された識別マーク（１２種類）の組み合わせにより、最大４８００種類の光ファイバ心線を識別することが可能である。これにより、従来の方法では識別することが不可能であった１０００心以上の光ファイバ心線を有する超多心光ファイバケーブルでも識別することが可能となる。
【００５２】
また、図２で説明したように１つの光ファイバユニットに対して２本のバンドル材（１２Ａ及び１２Ｂ）を巻きつける場合、バンドル材１２Ａとバンドル材１２Ｂとで付される識別マークの種類やバンドル材の色を変更することでさらに多くの種類の光ファイバ心線を識別することが可能になる。
【００５３】
このように、本実施形態のバンドル材１２を使用することにより、多数の光ファイバ心線を容易に識別することができるようになる。特に、１０００心を超える光ファイバ心線を有する超多心の光ファイバケーブルにおいては、従来の方法では光ファイバ心線の単心を識別することが困難であるため、バンドル材１２に識別マークを付することが有効である。また、バンドル材１２に識別マークを付することによって、バンドル材の色数を５色程度に制限した場合であっても２０００ 種類以上の光ファイバ心線を識別することが可能となる（後述する図８参照）。さらに、バンドル材の色数を５色に制限することで誤識別が生じる確率をより小さくすることができる。
【００５４】
なお、本実施形態の構成は、１０００心以下の光ファイバ心線を有する光ファイバケーブルに対しても有効である。例えば、８００心程度の光ファイバ心線を有する光ファイバケーブルを本実施形態によって識別する場合、バンドル材の識別マークの種類を少なくしても個々の光ファイバ心線を識別することが可能になる。そして、識別マーク等の種類が少なければ、その分誤識別が生じる可能性を低くすることができる。
【００５５】
次に、本実施形態のバンドル材を用いることによる光ファイバ心線の識別性について説明する。図８に、種々の条件で光ファイバ心線の識別性について評価を行なった結果を示す。評価に用いた光ファイバケーブルは、１０００心もしくは２０００心の光ファイバ心線を有する超多心の光ファイバケーブルであり、光ファイバ心線に付されるバンドルマーク、バンドルの色、及び、バンドルに付される識別マークが異なる５種類のケーブルである。５種類の光ファイバケーブルの基本的構成は、図１に示した光ファイバケーブル１とほぼ同様である。これらの光ファイバケーブルについて長手方向に１ｍの区間でシース３０を取り除いた状態から、所望の光ファイバ心線を取り出すことができるまでの時間を測定した。そして、当該測定時間が（ケーブル内の光ファイバ心線の心数／１０００）分以下となった場合を○と評価し、それ以外の場合を×と評価した。つまり、ケーブル内に含まれる光ファイバ心線の数が１０００心の場合は１分以内、２０００心の場合は２分以内に所望の光ファイバ心線を識別することができた場合に良好な識別性を有するものと評価される。
【００５６】
図８で、比較例１はバンドル材に識別マークが付されていない従来型の光ファイバケーブルである。比較例１では４心間欠固定テープ心線の着色配列の組み合わせを２５種類とすることで、理論的には個々の光ファイバ心線を識別することが可能である。しかし、実際には、４心間欠固定テープ心線の着色配列の組み合わせの数が多くなることから、そのような多くの組み合わせの中から目的の光ファイバ心線を識別することは困難であるため作業性が劣り、識別性の評価は×となった。
【００５７】
これに対して、実施例１〜４はバンドル材に識別マークが付された本実施形態の光ファイバケーブルである。いずれの場合も、間欠固定テープ心線の着色配列の組み合わせは１０種類とした。これらについては、まず、バンドル材に付された識別マーク、及びバンドル材の色によって、目的の光ファイバ心線が含まれる光ファイバユニットを識別する。そして、識別された光ファイバユニットの中から識別対象である光ファイバ心線を探すことができるため、比較例１の場合よりも大幅に作業性が向上し、識別性の評価は全て○となった。
【００５８】
このように、本実施形態では、バンドル材にマーキングを行なうことによって光ファイバ心線の識別性を向上させることができる。また、本実施形態の構成ではバンドル材に識別マークをプリントするだけでよく、バンドル材の色の種類を増やしたりその他の新たな部材を必要としたりしないため、低コストで良好な識別性を実現することができる。
【００５９】
なお、間欠固定テープ心線１１（光ファイバ心線１１１）の束に巻きつけるバンドル材の数やバンドル材の巻き方は、図２に示した例に限られない。図９に、第１実施形態でバンドル材の巻き方を変形した例について説明する概略図を示す。図９は、間欠固定テープ心線１１（光ファイバ心線１１１）の束に対して、光ファイバ心線１１１の長手方向に沿って１本のバンドル材１２を螺旋状に巻きつけた例を示している。バンドル材が１本であり、また、光ファイバ心線の束に巻きつけるだけであるため、光ファイバユニット１０の製造が容易である。そして上述したように、本実施形態の構成であればバンドル材が１本だけの場合であっても多心の光ファイバ心線を識別することが可能であることから、有効な方法である。また、図９に示した例以外の方法で間欠固定テープ心線１１（光ファイバ心線１１１）の束にバンドル材を巻きつけるのであってもよい。
【００６０】
＝＝＝第２実施形態＝＝＝
第２実施形態では、バンドル材に付される色を変更する例について説明する。第１実施形態で説明した例では、バンドル材１２がそれぞれ単色で着色されていた。例えば、図７で説明した例では、バンドル材の色として１０色が用意され、バンドル材の色によって１０通りの識別が可能であった。これに対して、第２実施形態では、１本のバンドル材に対して２色以上の色を付することにより、識別可能な種類を多くする。
【００６１】
なお、第２実施形態においてバンドル材１２以外の構成は、図１の光ファイバケーブル１とほぼ同様である。
【００６２】
図１０は、第２実施形態でバンドル材に付される色について説明する図である。本実施形態では、バンドル材１２が長手方向に沿って異なる２色によって色分けされている。例えば、図１０で＃２０１で表されるバンドル材は青及び黄色の２色で着色され、＃２０２で表されるバンドル材は黄色及び緑の２色で着色されている。バンドル材を着色する色として１０色が用意される場合、色の組み合わせによって４５通りの識別が可能になる。すなわち、従来のバンドル材のように単色で着色される場合と比較して識別可能な種類を多くすることができる。
【００６３】
第２実施形態の構成によれば、間欠固定テープ心線内の各光ファイバ心線の色（４色）と着色配列の組み合わせ（１０種類）、バンドル材１２に付された色のパターン（４５種類）の組み合わせにより、４心間欠固定テープ心線で最大１８００種類の光ファイバ心線を識別することが可能であり、１０００心以上の光ファイバ心線を有する超多心光ファイバケーブルでも識別することが可能となる。
【００６４】
また、バンドル材を着色するために新たに色数を増やすのではなく、既存の色の組み合わせによってバンドル材が着色されるため、バンドル材製造にかかるコスト増加は大きくない。
【００６５】
なお、図１０では各バンドル材がそれぞれ異なる２色によって着色されていたが、３色以上で着色されていてもよい。その場合、識別可能な種類をさらに増やすことも可能である。
【００６６】
このように、２色以上の異なる色で着色されているバンドル材を、間欠固定テープ心線１１（複数の光ファイバ心線１１１）の束に巻きつけることにより、多心の光ファイバ心線を低コストで識別することができる。
【００６７】
＝＝＝第３実施形態＝＝＝
第３実施形態では、２色以上の異なる色で着色されているバンドル材に対して、識別マークを付することによって、識別可能な光ファイバ心線の数を増加させる。
【００６８】
図１１は、第３実施形態でバンドル材に付される色及び識別マークについて説明する図である。本実施形態のバンドル材１２は、図１０で説明したのと同様に、２色以上の異なる色で着色されている。さらに、図５で説明したのと同様の識別マーク１２３が付されている。これにより、識別可能な光ファイバ心線の数をさらに増加させることができる。例えば、４心間欠固定テープ心線内の各光ファイバ心線の色（４色）と着色配列の組み合わせ（１０種類）、バンドル材１２の色の組み合わせ（４５種類）、及びバンドル材に付された識別マーク（１２種類）の組み合わせによって最大２１６００種類の光ファイバ心線を識別することが可能である。この場合も１０００心以上の光ファイバ心線を有する超多心光ファイバケーブルを識別することが可能となる。また、間欠固定テープ心線内の光ファイバ心線に特開２０１３−０９７３５０号公報等に記載されているリングマークを施すことも可能であり、その場合は識別可能な心数をさらに増やすことができる。
【００６９】
このように、２色以上の異なる色で着色され、さらに識別マークが付されたバンドル材を、間欠固定テープ心線１１（複数の光ファイバ心線１１１）の束に巻きつけることで、より多くの光ファイバ心線を低コストで識別可能にすることができる。
【００７０】
＝＝＝その他の実施形態＝＝＝
上述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００７１】
＜間欠固定テープ心線について＞
上述の実施形態では、間欠固定テープ心線１１として、４心の光ファイバ心線１１１が連結された例について説明されていた。しかし、間欠固定テープ心線１１を構成する光ファイバ心線の心数はこの限りではなく、心数を増やしても良いし減らしても良い。また、隣接する２つの光ファイバ心線１１１を連結する連結部１１５の連結位置や連結数は間欠固定テープ心線１１の用途に応じて変更することができる。
【００７２】
＜バンドル材の数について＞
上述の実施形態では、光ファイバ心線の束に巻き付けられるバンドル材の数が１本〜４本の例について説明されていた。しかし、１つの光ファイバユニットに設けられるバンドル材の数はこの限りではない。例えば、３本であったり、５本以上であったりしてもよい。上述したように、光ファイバケーブルの中間分岐作業における作業性を考慮すると、１つの光ファイバユニットに対して複数のバンドル材が設けられ、それぞれ簡単に引き剥がせるようにしておくことが望ましい。
【００７３】
＜スロットタイプの光ファイバケーブルについて＞
上述の実施形態では、ケーブル中心部に複数の光ファイバユニットが収納されるタイプの光ファイバケーブルについて説明されていたが（図１参照）、光ファイバケーブルのタイプはこれに限られず、所謂スロットタイプの光ファイバケーブルであってもよい。図１２は、一例としてのスロットタイプの光ファイバケーブル２の断面図である。スロットタイプの光ファイバケーブル２では、スロットコア２０の外周部に複数のスロット２１（溝部）が設けられ、各スロット２１にそれぞれ複数の光ファイバユニット１０が収納される。図１２の例では、スロットコア２０の外周部にスロット２１Ａ〜２１Ｅの５つのスロットが設けられ、スロット２１Ａには１０Ｄ〜１０Ｆの３つの光ファイバユニット１０が収納されている。このようなスロットタイプの光ファイバケーブルにおいても、光ファイバユニット１０毎に識別マークが付されたバンドル材１２を巻きつけることによって光ファイバ心線を効率よく識別することが可能になる。
【符号の説明】
【００７４】
１  光ファイバケーブル、２  光ファイバケーブル、
１０  光ファイバユニット、１０Ａ〜１０Ｆ  光ファイバユニット、
１１  間欠固定テープ心線、１１１  光ファイバ心線、
１１５  連結部、
１２  バンドル材、１２Ａ・１２Ｂ  バンドル材、
１２１  コア部、１２２  被覆部、１２３  識別マーク、
１５  押さえ巻き、
２０  スロットコア、２１  スロット、２１Ａ〜１２Ｅ  スロット、
３０  シース、
４０  テンションメンバ
【図１】
2015215447.tif 000003
【図２】
2015215447.tif 000004
【図３】
2015215447.tif 000005
【図４】
2015215447.tif 000006
【図５】
2015215447.tif 000007
【図６】
2015215447.tif 000008
【図７】
2015215447.tif 000009
【図８】
2015215447.tif 000010
【図９】
2015215447.tif 000011
【図１０】
2015215447.tif 000012
【図１１】
2015215447.tif 000013
【図１２】
2015215447.tif 000014